(57)【要約】【課題】床暖房制御システムにおける施工性の向上。【解決手段】無線床暖房リモコン３と熱源機１の間に中継器４を設け、この中継器４に無線通信プロトコルと標準プロトコルを相互変換するデータ変換手段１２を設けるようにしている。これによって、無線床暖房リモコンと他の熱源機との組み合わせ動作を可能にし、施工性を向上することができる。【選択図】　図１
2004132643.tif 000002
【特許請求の範囲】
【請求項１】
熱源機、床に設置された複数個の床暖用放熱パネル、無線床暖房リモコン及び中継器とから構成され、前期無線床暖房リモコンは、前記中継器と無線通信を行うリモコン無線通信手段と、暖房運転スイッチとを備え、前記熱源機は、双方向通信プロトコルで前記中継器と有線通信を行う熱源有線通信手段と、前記有線通信手段からの運転指示を受け前記放熱パネルに温水を循環供給する熱源制御手段とを備え、前記中継器は、前記熱源機と双方向通信プロトコルで通信を行う中継器有線通信手段と、前記無線床暖房リモコンと無線通信プロトコルで通信を行う中継器無線通信手段と、前記無線床暖リモコンとの通信内容を双方向通信プロトコルに変換し、前記熱源機との通信内容を前記無線通信プロトコルに変換するデータ変換手段とを備えた無線床暖房制御装置。
【請求項２】
中継器無線通信手段は、複数の無線床暖房リモコンと通信を行なうと共に、複数の無線床暖房リモコンからの運転指示を対応する放熱パネル毎に割り振り、かつ個別の有線通信線で熱源機へ運転指示する請求項１記載の無線床暖房制御装置。
【請求項３】
中継器有線通信手段は、有線通信を１系統の送受信で行い、放熱パネル毎の熱源機との通信を通信経路を切り換えて行う系統切り換え機能を有する請求項２記載の無線床暖房制御装置。
【請求項４】
無線床暖房リモコンは温度設定手段を有し、中継器は無線床暖房リモコンからの温度設定情報を受け、熱源機への暖房運転指示のオン・オフのサイクルを決定する暖房デューティ制御手段を備えた請求項１記載の無線床暖房制御装置。
【請求項５】
無線床暖房リモコンは、温度設定手段と室温検知手段を有し、前記中継器は無線床暖房リモコンからの温度設定情報と現在室温情報を受け、熱源機への暖房運転指示のオ・、オフのサイクルを決定する暖房デューティ制御手段を備えた請求項１記載の無線床暖房制御装置。
【発明の詳細な説明】
【０００１】
【発明の属する技術分野】
本発明は、無線床暖房制御装置に関するものである。
【０００２】
【従来の技術】
従来この種の床暖房制御システムは、有線通信とするのが一般的であった。従来の床暖房制御システムは図７に示すように、たとえば、熱源機１から四つの放熱パネル２０ａ、２０ｂ、２０ｃ、２０ｄに温水弁２１ａ、２１ｂ、２１ｃ、２１ｄを介して温水往パイプ２２ａ、２２ｂ、２２ｃ、２２ｄが接続されており、温水戻パイプ２３は統合されて熱源機１へ接続されている。一方、床暖房リモコン２４ａ、２４ｂ、２４ｃ、２４ｄは、放熱パネル２０ａのある部屋に床暖房リモコン２４ａが、放熱パネル２０ｂのある部屋に床暖房リモコン２４ｂが、放熱パネル２０ｃのある部屋に床暖房リモコン２４ｃが、放熱パネル２０ｄのある部屋に床暖房リモコン２４ｄがそれぞれとりつけられ、熱源機１はたとえば床暖房リモコン２４ａの要求に応じて温水弁２１ａを開き放熱パネル２０ａを加熱する。
【０００３】
すなわち、熱源機１内には、たとえば、４系統の床暖房を接続できる熱源機である場合、一つの床暖房リモコン接続端子に対し、それに連動して動作する温水弁接続端子が必ず一つあり、これらの組み合わせが４組あるということになっていた。この４組という組数は、熱源機の能力に応じて何組であっても構わない。
【０００４】
また、床暖房リモコンと熱源機との通信は業界内で統一された双方向通信プロトコルで行っている。これは熱源機メーカーと床暖房リモコン等の端末機メーカーが異なるため、市場の混乱を招かないように統一されたものである。
【０００５】
【発明が解決しようとする課題】
しかしながら、従来の床暖房制御システムでは、放熱パネル数分の床暖房リモコンの配線工事が必要であり施工性の悪さが課題であった。また、施工性向上のため無線式床暖房リモコンを市場導入する場合、無線通信という業界標準ではない通信形態でも、無線式床暖房リモコンと各メーカー熱源機とを組み合わせて正常に動作するよう配慮する必要があった。
【０００６】
【課題を解決するための手段】
上記課題を解決するために本発明は、ある特定の無線通信プロトコルと統一された有線双方向プロトコルを相互変換する中継器を設け、該中継器を熱源機と接続することで、他の熱源機とも組み合わせ可能な無線床暖房リモコンを供給するものである。本発明によれば施工性を向上することができる。
【０００７】
【発明の実施の形態】
本発明は、熱源機と、床に設置された複数個の床暖用放熱パネルと、無線床暖房リモコンと、中継器から構成され、無線床暖房リモコンは前記中継器と無線通信を行うリモコン無線通信手段と、暖房運転スイッチを備え、熱源機は、業界内で統一された双方向通信プロトコルで中継器と有線通信を行う熱源有線通信手段と、有線通信手段からの運転指示を受け放熱パネルに温水を循環供給する熱源制御手段を備え、中継器は熱源機と業界内で統一された双方向通信プロトコルで通信を行う中継器有線通信手段と、無線床暖房リモコンとメーカー独自の無線通信プロトコルで通信を行う中継器無線通信手段と、無線床暖リモコンとの通信内容を業界統一の双方向通信プロトコルに変換し、熱源機との通信内容を無線通信プロトコルに変換するデータ変換手段を備えたものである。そして、他メーカー熱源機とも組み合わせ可能な無線床暖房リモコンを供給し、施工性向上を目指すものである。
【０００８】
また、中継器無線通信手段は複数の無線床暖房リモコンと通信を行い、中継器有線通信手段は複数の無線床暖房リモコンからの運転指示を対応する放熱パネル毎に割り振り、放熱パネル毎に個別の有線通信線で熱源機へ運転指示するものである。そして、１つの中継器で複数の無線床暖房リモコンを使用し複数の床暖房放熱パネルを制御可能とすることで、安価にシステムを実現することができる。
【０００９】
また、中継器有線通信手段は有線通信を１系統の送受信で行い、放熱パネル毎の熱源機との通信を通信経路を切り換えて行う系統切り換え機能を有するものである。そして、中継器に複数の有線通信回路を持つ必要がなく安価にシステムを実現することができる。
【００１０】
また、無線床暖房リモコンは温度設定手段を有し、中継器は無線床暖房リモコンからの温度設定情報を受け、熱源機への暖房運転指示のオン・オフのサイクルを決定する暖房デューティ制御手段を備えたものである。そして、熱源機への暖房運転指示をオン・オフさせる度に無線床暖房リモコンからの送信を行う必要がなく電波の有効利用が図れるため、集合住宅等で多数のシステムが存在しても電波の衝突が少なく応答性のよいシステムを実現できる。
【００１１】
また、無線床暖房リモコンは温度設定手段と室温検知手段を有し、中継器は無線床暖房リモコンからの温度設定情報と現在室温情報を受け、熱源機への暖房運転指示のオン・オフのサイクルを決定する暖房デューティ制御手段を備えたものである。そして、リモコンに室温検知手段があり設定室温に制御する機能があるシステムでも熱源機への暖房運転指示をオン・オフさせる度に無線床暖房リモコンからの送信を行う必要がなく電波の有効利用が図れる。
【００１２】
【実施例】
以下、本発明の実施例について図面を参照して説明する。
【００１３】
（実施例１）
図１は、本発明の実施例１としての無線床暖房制御装置である。図１に基づいて、まず床暖放熱パネルの制御方法について説明する。１は熱源機、２ａ、２ｂ、２ｃはリビングルームやダイニングルームに敷設される床暖放熱パネルであり、３ａ、３ｂ、３ｃは無線床暖房リモコン、４は中継器である。無線床暖房リモコンでは暖房運転スイッチ７ａ、７ｂ、７ｃを操作すると、リモコン無線通信手段６ａ、６ｂ、６ｃに運転要求が指示される。中継器４にある中継器無線通信手段１１は無線床暖房リモコンのリモコン無線通信手段６ａ、６ｂ、６ｃから運転要求信号を受け取り、データ変換手段１２に送る。
【００１４】
データ変換手段１２は無線通信プロトコルを双方向通信プロトコルに変換し中継器有線通信手段１０へデータを送る。有線通信手段１０は通信線１６ａ、１６ｂ、１６ｃを介して熱源有線通信手段８にデータを送る。熱源有線通信手段８はどの通信線から運転信号が来たかを示す系統番号と運転要求信号を熱源制御手段９に送る。
【００１５】
熱源制御手段９は運転要求信号を受けると指示された系統番号を判断し、該当する床暖放熱パネルの開閉部５ａまたは５ｂまたは５ｃを開け、温水を供給することで放熱パネルを暖め、暖房運転を行う。尚、熱源機１、無線床暖房リモコン３ａ、３ｂ、３ｃはそれぞれが出荷時から固有のＩＤコードを持っており、熱源とリモコンは互いに相手のＩＤコードを認識して動作する。従って隣接するシステムがあっても誤動作するようなことはない。
【００１６】
（実施例２）
次に図２を用いて本発明の実施例２について説明する。図において、無線床暖房リモコン３ａからの運転指示データには系統番号ａの情報も付加されている（ｓ１）。この情報を受け取った中継器はまず応答（ＡＣＫ）を無線床暖リモコン３ａに返し（ｓ２）、その後熱源機に対して１６ａの信号線を用いて系統ａの運転オン信号を送信する（ｓ３）。熱源機１は中継器４に応答（ＡＣＫ）を返し（ｓ５）、指示された系統ａの開閉部５ａをオンし暖房燃焼を始める（ｓ４）。
【００１７】
以下、無線床暖房リモコン３ｂからの運転指示を中継器が受けた場合も同様にｓ６からｓ１０の流れで開閉弁５ｂがオンし、無線床暖房リモコン３ｃからの運転指示の場合もｓ１１からｓ１５の流れで開閉弁５ｃがオンする。
【００１８】
以上のように無線通信プロトコルを業界統一双方向通信プロトコルに変換することで他メーカー熱源機とも組み合わせ可能な無線床暖房リモコンを供給し、施工性を向上できる。また１つの中継器で複数の無線床暖房リモコンを使用し複数の床暖房放熱パネルを制御可能とすることで、安価にシステムを実現することができる。
【００１９】
（実施例３）
次に実施例３について説明する。図３は実施例３におけるブロック図である。中継器有線通信手段は送受信ポート（Ｐｉｏ）を１つ有する。熱源有線通信手段とは３本の通信線１６ａ、１６ｂ、１６ｃで接続されており、どの通信線を介して熱源と通信するかをＰａ、Ｐｂ、Ｐｃポートを制御することでＳＷａ、ＳＷｂ、ＳＷｃをスイッチングして決定する。尚ＳＷａ、ＳＷｂ、ＳＷｃはＴＴＬで構成されている。
【００２０】
図４は実施例３のタイミングチャートである。通信線１６ａ、１６ｂ、１６ｃからの受信データが無い状態ではＰａ、Ｐｂ、Ｐｃを周期的に切り換え、データが来ないかを確認している（ｓ１〜ｓ３）。仮に１６ａの通信線からデータが来た場合（ｓ４）、再度Ｐａがオンされた時にＰｉｏに受信データを確認することができる（ｓ５）。Ｐｉｏでデータを確認できた場合はデータ受信が終了するまでＰａのオンを継続しながらデータを取りこむ（ｓ５〜ｓ６）。データ受信が終了したら再度Ｐａ、Ｐｂ、Ｐｃを周期的に切り換え始め次の受信を待つ（ｓ７）。
【００２１】
以上ような構成により中継器に複数の有線通信回路を持つ必要がなく安価にシステムを実現することができる。
【００２２】
（実施例４）
次に実施例４について説明する。図５は実施例４におけるタイミングチャートである。無線床暖房リモコン３ａ、３ｂ、３ｃはそれぞれ温度設定手段１３ａ、１３ｂ、１３ｃを備えている。ここでは無線床暖房リモコン３ａを例に上げ説明する。暖房運転スイッチ７ａをオンすると運転指示と同時に温度設定レベル情報（ここでは１）を中継器４に送信する。中継器４は運転指示に従い熱源に運転指示を行う（Ｐ１）。床暖房放熱パネルの温度制御は一定周期（Ｔ１）中にどれだけの時間（Ｔ２、Ｔ３）暖房温水を供給するかで制御するので、中継器４内の暖房ＤＵＴＹ制御手段１５は無線床暖房リモコンから指示された温度設定が１であることを確認し暖房温水供給時間をＴ２に決定する。
【００２３】
Ｔ２時間経過すると、暖房ＤＵＴＹ制御手段１５は中継器有線通信手段１０に対し暖房オフ指示を出し、熱源には暖房停止指示が送信される。無線床暖房リモコン３ａはおよそＴ１時間経過した時点で次のサイクルの暖房オン時間を指示するため、再度温度設定情報を中継器に送信する（Ｐ２）。
【００２４】
次にリモコン側で温度設定レベルが２に変更になった場合、無線床暖房リモコン３ａはおよそＴ１時間経過した時点で温度設定情報を中継器に送信する（Ｐ３）。この情報を受けた暖房ＤＵＴＹ制御手段１５はＴ１はそのままで次の暖房オン時間をＴ３と設定し暖房オン時間を変化させることで室温変更を行う。尚、温度設定を高い側に設定変更した場合はＴ２＜Ｔ３となる。
【００２５】
以上のように暖房オンＤＵＴＹを中継器で制御することにより、Ｔ１周期の途中で暖房をオフする際に無線通信を行う必要がなく、電波の有効利用が図れるため、応答性のよいシステムを実現できる。
【００２６】
（実施例５）
次に実施例５について説明する。図６は実施例５におけるタイミングチャートである。無線床暖房リモコン３ａ、３ｂ、３ｃはそれぞれ室温検出手段１４ａ、１４ｂ、１４ｃを備えている。ここでは無線床暖房リモコン３ａを例に上げ説明する。暖房運転スイッチ７ａをオンすると運転指示と同時に温度設定情報（ここでは２０℃）と現在室温情報（ここでは１５℃）を中継器４に送信する。
【００２７】
中継器４は運転指示に従い熱源に運転指示を行う（Ｐ６）。床暖房放熱パネルの温度制御は一定周期（Ｔ１）中にどれだけの時間（Ｔ４、Ｔ５）暖房温水を供給するかで制御するので、中継器４内の暖房ＤＵＴＹ制御手段１５は無線床暖房リモコンから指示された温度設定が２０℃で、室温が１５℃であることを確認し、設定まで室温が達していないことから暖房温水供給時間を多めのＴ４に決定する。
【００２８】
Ｔ４時間経過すると、暖房ＤＵＴＹ制御手段１５は中継器有線通信手段１０に対し暖房オフ指示を出し、熱源には暖房停止指示が送信される。無線床暖房リモコン３ａはおよそＴ１時間経過した時点で次のサイクルの暖房オン時間を指示するため、再度温度設定情報と室温情報を中継器に送信する（Ｐ７）。
【００２９】
次にリモコン側で室温が２０℃に上昇した場合、無線床暖房リモコン３ａはおよそＴ１時間経過した時点で温度設定情報と室温情報を中継器に送信する（Ｐ８）。
この情報を受けた暖房ＤＵＴＹ制御手段１５はＴ１はそのままで次の暖房オン時間をＴ５と設定し暖房オン時間を変化させることで温度制御を行う。この場合設定温度まで室温が既に上昇しているので、Ｔ５は少なめの設定となり、Ｔ４＞Ｔ５となる。
【００３０】
以上のように暖房オンＤＵＴＹを中継器で制御することにより、Ｔ１周期の途中で暖房をオフする際に無線通信を行う必要がなく、電波の有効利用が図れるため、応答性のよいシステムを実現できる。
【００３１】
【発明の効果】
以上の説明から明らかなように、本発明の無線床暖房制御装置は、無線通信プロトコルを特定の双方向通信プロトコルに変換することで他の熱源機とも組み合わせ可能な無線床暖房リモコンを供給でき、施工性を向上することができる。
【図面の簡単な説明】
【図１】本発明の実施例１における無線床暖房制御装置のブロック図
【図２】本発明の実施例２における無線床暖房制御装置のデータフロー図
【図３】本発明の実施例３における無線床暖房制御装置のブロック図
【図４】同装置におけるタイミングチャート
【図５】本発明の実施例４における無線床暖房制御装置のタイミングチャート
【図６】本発明の実施例５における無線床暖房制御装置のタイミングチャート
【図７】従来の床暖房制御システムの構成図
【符号の説明】
１　熱源機
２ａ、２ｂ、２ｃ　床暖用放熱パネル
３ａ、３ｂ、３ｃ　無線床暖房リモコン
４　中継器
５ａ、５ｂ、５ｃ　開閉部
６　リモコン無線通信手段
７ａ、７ｂ、７ｃ　　暖房運転スイッチ
８　熱源有線通信手段
９　熱源制御手段
１０　中継器有線通信手段
１１　中継器無線通信手段
１２　データ変換手段
１３ａ、１３ｂ、１３ｃ　温度設定手段
１４ａ、１４ｂ、１４ｃ　室温検出手段
１５　暖房デューティ制御手段
【図１】
2004132643.tif 000003
【図２】
2004132643.tif 000004
【図３】
2004132643.tif 000005
【図４】
2004132643.tif 000006
【図５】
2004132643.tif 000007
【図６】
2004132643.tif 000008
【図７】
2004132643.tif 000009